(57)【要約】【課題】単一の整合板でありながら、各種幅寸法の印字媒体を整合できるようにする。【解決手段】各種幅寸法の印字媒体Ｔ，Ｓｂを挿入させるフェイシア部と、印字媒体Ｔ，Ｓｂを搬送路６ｂに沿って搬送する搬送ローラと、この搬送ローラによって搬送されてくる印字媒体Ｔ，Ｓｂに印字するドットヘッドと、このドットヘッドのフェイシア部との間に設けられ、搬送ローラによって搬送されてくる印字媒体Ｔ，Ｓｂをその搬送方向に対して直交する方向に移動させる整合ローラ３３と、この整合ローラ３３によって移動される印字媒体Ｔ，Ｓｂを当接させてドットヘッドに対する位置決めを行なう整合板３４と、この整合板３４を印字媒体Ｔ，Ｓｂの幅方向に沿って移動させる駆動機構３６と、この駆動機構３６による整合板３４の移動量を印字媒体Ｔ，Ｓｂの幅寸法に基づいて可変するように制御する制御部２４とを具備する。【選択図】      図３
2010214734.tif 000002
【特許請求の範囲】
【請求項１】
各種幅寸法の印字媒体を挿入させる挿入口と、
前記印字媒体を搬送路に沿って搬送する搬送手段と、
この搬送手段によって搬送されてくる前記印字媒体に印字する印字ヘッドと、
この印字ヘッドと前記挿入口との間に設けられ、前記搬送手段によって搬送されてくる前記印字媒体をその搬送方向に対して直交する方向に移動させる整合ローラと、
この整合ローラによって移動される前記印字媒体を当接させて前記印字ヘッドに対する位置決めを行なう整合板と、
この整合板を前記印字媒体の幅方向に沿って移動させる駆動手段と、
この駆動手段による前記整合板の移動量を前記印字媒体の幅寸法に基づいて可変するように制御する制御手段と
を具備することを特徴とする印刷装置。
【請求項２】
前記印字媒体の幅寸法を検出する幅検出センサを備え、
前記制御手段は、前記幅検出センサの検出情報に基づいて前記整合板の移動量を制御することを特徴とする請求項１記載の印刷装置。
【請求項３】
本体フレームを備え、
前記整合板は前記本体フレームの一部によって構成されることを特徴とする請求項１または２記載の印刷装置。
【請求項４】
前記駆動手段は、前記整合板を搭載するキャリアと、このキャリアを移動させるスクリューシャフトと、このスクリューシャフトを回転させる駆動モータとを備えることを特徴とする請求項１乃至３の何れか一項に記載の印刷装置。
【発明の詳細な説明】
【技術分野】
【０００１】
本発明は、例えば、通帳やステイトメント用紙などに印字する印刷装置に関する。
【背景技術】
【０００２】
印刷装置には、その前面部側にステイトメント用紙を出入させる用紙出入口と、通帳を出入させる通帳出入口とを上下に配置し、用紙出入口から挿入されるステイトメント用紙をステイトメント用の搬送ローラによって搬送路に沿って印字部に搬送し、或いは、通帳出入口から挿入される通帳を通帳用の搬送ローラによって搬送路に沿って印字部に搬送してドットヘッド（印字ヘッド）によりそれぞれ印字するものがある。
【０００３】
印字されたステイトメント用紙、及び通帳は逆送されて用紙出入口及び通帳出入口からそれぞれ送り出されるようになっている（例えば、特許文献１参照。）。
【特許文献１】特開２００３−１７６０６５号公報
【発明の開示】
【発明が解決しようとする課題】
【０００４】
ところで、上記したドットヘッドの手前側には通帳やステイトメント用紙等の印字媒体をドットヘッドの印字領域に合致するように整合する整合機構が備えられている。整合機構は、印字媒体をその搬送方向に対して直交する方向に移動させる整合ローラと、この整合ローラによって移動される印字媒体を当接させて整合する整合板を備えている。
【０００５】
整位板は上下動自在に設けられ、下降することによりその下部側を搬送路中に進入させ、この下部側に印字媒体を当接させるようになっている。
【０００６】
しかしながら、従来においては、整合板を搬送路の一定位置に進入させて整合していたため、一定幅の印字媒体しか整合できず、多様な幅寸法の印字媒体を整合することはできないという問題があった。
【０００７】
なお、整合板を印字媒体の搬送方向と直交する方向に所定間隔を存して複数個配設し、これら整合板を印字媒体の幅寸法に応じて選択的に上下動させれば、多様な幅寸法の印字媒体の整合が可能となるが、この場合には、部品点数が増大し、コスト高になってしまう。
【０００８】
本発明は上記事情に着目してなされたもので、その目的とするところは、単一の整合板でありながら、各種幅寸法の印字媒体の整合を可能とする印刷装置を提供することにある。
【課題を解決するための手段】
【０００９】
上記課題を解決するため、請求項１記載の発明は、各種幅寸法の印字媒体を挿入させる挿入口と、前記印字媒体を搬送路に沿って搬送する搬送手段と、この搬送手段によって搬送されてくる前記印字媒体に印字する印字ヘッドと、この印字ヘッドと前記挿入口との間に設けられ、前記搬送手段によって搬送されてくる前記印字媒体をその搬送方向に対して直交する方向に移動させる整合ローラと、この整合ローラによって移動される前記印字媒体を当接させて前記印字ヘッドに対する位置決めを行なう整合板と、この整合板を前記印字媒体の幅方向に沿って移動させる駆動手段と、この駆動手段による前記整合板の移動量を前記印字媒体の幅寸法に基づいて可変するように制御する制御手段とを具備することを特徴とする。
【発明の効果】
【００１０】
本発明によれば、単一の整合板でありながら、各種幅寸法の印字媒体の整合を可能とする印刷装置を提供できる。
【発明を実施するための最良の形態】
【００１１】
以下、本発明の実施の形態を図面を参照して詳細に説明する。  
図１は、本発明の一実施の形態である印刷装置を示す構成図である。
【００１２】
図中１は装置本体で、この装置本体１の前面部側には通帳Ｔの出入口とステイトメント用紙Ｓｂの出入口を兼用するフェイシア部２が設けられている。
【００１３】
装置本体１内の後部側には用紙装填部３が設けられ、この用紙装填部３にはロール状のサーマル用紙４が装填されている。サーマル用紙４の先端部は用紙装填部３から引き出されてサーマル用搬送手段５によって搬送路６ａに沿って搬送される。搬送路６ａ中にはサーマル用紙４の搬送方向に沿って順次、サーマル印字部７、切断部８が配設されている。
【００１４】
また、装置本体１内には、挿入口としてのフェイシア部２から挿入される通帳Ｔ、或いは各種幅寸法のステイトメント用紙Ｓｂを搬送路６ｂに沿って搬送する搬送手段１０が設けられている。この搬送路６ｂは上記したサーマル用紙４の搬送路６ａに接続され、搬送路６ａから送り出されてくるサーマル用紙４を搬送路６ｂに沿って搬送する搬送手段としても兼用されるようになっている。
【００１５】
搬送手段１０は搬送路６ａに所定間隔を存して配設される複数個の搬送ローラ対１１ａ〜１１ｅ、出入用ローラ対１２、フィードローラ対１５によって構成されている。搬送路６ｂには印字ヘッドとしてのドットヘッド９ａを有するドット印字部９が配置され、搬送路６ｂはフェイシア部２に接続されている。
【００１６】
また、上記した搬送手段１０のサーマル用紙導入側にはサーマル用紙４の先端部を検出する検知センサ２８が設けられ、出入用ローラ対１２の近傍には通帳Ｔ、或いはステートメント用紙Ｓｂの挿入を検知する挿入検知センサ２９、さらに、挿入された通帳Ｔ、或いはステートメント用紙Ｓｂの幅寸法を検出する幅検出センサ３０が設けられている。
【００１７】
サーマル印字部７は、サーマル用紙４の搬送方向に沿って所定間隔を存して配置される第１及び第２のサーマルヘッド１７，１８を備え、これら第１及び第２のサーマルヘッド１７，１８にはサーマル用搬送手段５を構成する第１及び第２のプラテンローラ２０，２１が転接されている。サーマル用紙４は、第１及び第２のサーマルヘッド１７，１８と第１及び第２のプラテンローラ２０，２１とにより挟持搬送されて第１及び第２のサーマルヘッド１７，１８によりその表裏に情報が印字されるようになっている。
【００１８】
切断部８は、ロータリーカッタ２３を備え、サーマル用紙４が切断部８から所定距離送り出されるのに基づいてロータリーカッタ２３を回転させて切断し、ステートメント用紙を形成するようになっている。
【００１９】
上記したサーマル用搬送手段５を構成する第１及び第２のプラテンローラ２０，２１、ロータリーカッタ２３、及びサーマル側フィードローラ対１４は、第１の駆動モータ２５によって回転駆動され、また、搬送手段１０を構成する搬送ローラ対１１ａ〜１１ｅ、出入用ローラ対１２、及びフィードローラ対１５は、第２の駆動モータ２６によって回転駆動されるようになっている。
【００２０】
図２は上記した印刷装置の駆動制御系を示すブロック図である。
【００２１】
上記したサーマル用紙検知センサ２８、挿入検知センサ２９、幅検出センサ３０、さらに、ステイトメント発行ボタン２７は送信回路を介して制御手段としての制御部２４に接続され、制御部２４には制御回路を介して上記した第１及び第２の駆動モータ２５，２６が接続されている。
【００２２】
制御部２４は、挿入検知センサ２９が通帳Ｔ、或いはステイトメント用紙Ｓｂの挿入を検知するのに基づいて第２の駆動モータ２６を動作させて搬送ローラ対１１ａ〜１１ｅ、出入用ローラ対１２、フィードローラ対１５を通帳Ｔ、或いはステイトメント用紙Ｓｂを取り込む方向（第１の方向）に回転駆動させ、ドット印字終了後、逆方向（第２の方向）に回転駆動させるようになっている。
【００２３】
また、制御部２４は、ステイトメント発行ボタン２７がオンされるのに基づいて第１の駆動モータ２５を動作させ、第１及び第２のプラテンローラ２０，２１さらにサーマル側フィードローラ対１４をサーマル用紙４を送り出す方向に回転駆動させるようになっている。さらに、制御部２４は、サーマル用紙検知センサ２８がサーマル用紙４の先端部を検知するのに基づいてロータリーカッタ２３を回転駆動させるとともに、第２の駆動モータ２６を動作させて搬送ローラ対１１ａ〜１１ｅ、出入用ローラ対１２、フィードローラ対１５を第２の方向に回転駆動させるようになっている。
【００２４】
ところで、上記したドットヘッド９ａの手前側は、ドットヘッド９ａの印字領域に対して通帳Ｔ、或いはステイトメント用紙Ｓｂを整合するための整合領域３０となっており、この整合領域３０に整合機構３２が設けられている。
【００２５】
図３は、整合機構３２を示す構成図である。
【００２６】
整合機構３２は、搬送路６ｂの下部側に整合ローラ３３を備え、この整合ローラ３３は図示しない昇降機構により昇降され、通帳Ｔ或いはステイトメント用紙Ｓｂの下面側に接離されるようになっている。また、整合ローラ３３は通帳Ｔ或いはステイトメント用紙Ｓｂの下面側に接触した状態で回転することにより、通帳Ｔ或いはステイトメント用紙Ｓｂをその搬送方向に対し直交する方向に移動させるようになっている。
【００２７】
この通帳Ｔ及びステイトメント用紙Ｓｂの移動方向には整合板３４が設けられ、この整合板３４に通帳Ｔ或いはステイトメント用紙Ｓｂが当接されて整合される。整合ローラ３３の下方部には、整合板３４を移動させるための駆動手段としての駆動機構３６が設けられている。駆動機構３６は整合板３４を搭載するキャリア部３７と、このキャリア部３７を往復移動させるスクリューシャフト３８を備えている。スクリューシャフト３８は搬送路６ｂに対し直交する方向に沿って設けられ、その一端部が本体フレーム４０、他端部が支持フレーム４１にそれぞれ回転自在に支持されている。スクリューシャフト３８の他端部側にはハス歯４２，４３、従動歯車４４、駆動歯車４５を介して駆動モータ４６が接続されている。駆動モータ４６は正逆回転し、スクリューシャフト３８を介して整合板３４が往復移動させるようになっている。
【００２８】
尚、整合板３４は本体フレーム４０の一部によって構成されている。また、図中５０ａは印字媒体の搬送をガイドする上側ガイドで、５０ｂは下側ガイドである。
【００２９】
上記した整合板３４及び整合ローラ３３は、図２に示す整合板用モータ４６、整合ローラ用モータ４７によって回転駆動される。整合板用モータ４６、整合ローラ用モータ４７は、制御回路を介して制御部２４に接続されている。
【００３０】
制御部２４は、通帳Ｔ、或いはステイトメント用紙Ｓｂがフェイシア部２から挿入されてその幅寸法が幅寸法検出センサ３０によって検出されると、その検出された幅寸法に基づいて整合板用モータ４６の駆動を制御して整合板３４を例えば図３に示すように、第１の位置ａ、第２の位置ｂ、第３の位置ｃに移動させるようになっている。
【００３１】
整合板３４は、例えば、通帳Ｔの幅寸法が検出された場合には、第２の位置ｂに移動され、通帳Ｔより幅広のステイトメント用紙Ｓｂの幅寸法が検出された場合には、第１の位置ａに移動され、通帳Ｔより幅狭のステイトメント用紙Ｓｂの幅寸法が検出された場合には、第３の位置ａに移動されるようになっている。
【００３２】
また、制御部２４は、フェイシア部２から挿入された通帳Ｔ、或いはステイトメント用紙Ｓｂが整合領域３１に到達すると、整合ローラ３３を上昇させて通帳Ｔ、或いはステイトメント用紙Ｓｂの下面側に接触させるとともに回転させて通帳Ｔ、或いはステイトメント用紙Ｓｂを整合板３４に向かって移動させるようになっている。
【００３３】
次に、上記したように構成される印刷装置の印字動作について説明する。
【００３４】
まず、サーマル用紙４を用いて印字する場合について説明する。
【００３５】
サーマル用紙４の先端部側は、図４に示すように第１及び第２のプラテンローラ２０，２１と第１及び第２のサーマルヘッド１７，１８との間に挟持された状態にあり、ステイトメント発行ボタン２７がオンされると、第１の駆動モータ２５が駆動してプラテンローラ２０，２１が回転される。この回転により、サーマル用紙４が搬送されるとともに、第１及び第２のサーマルヘッド１７，１８の発熱によりサーマル用紙４の表裏面に情報が印字される。この印字後、サーマル用紙４は切断部８を通過してサーマル側フィードローラ対１４によって挟持搬送され、その先端部が図５に示すようにサーマル用紙検知センサ２８により検知されると、ロータリーカッタ２３が回転してサーマル用紙４が所定寸法に切断されてステイトメント用紙Ｓａが形成される。このステイトメント用紙Ｓａは、図６に示すようにフィードローラ対１５、搬送ローラ対１１、及び出入用ローラ対１２の逆回転によって搬送路６ｂに沿って搬送されてフェイシア部２から排出される。
【００３６】
つぎに、フェイシア部２から挿入される通帳Ｔ、或いは幅寸法を異にする複数種のステートメント用紙Ｓｂに印字する場合について説明する。
【００３７】
フェイシア部２から通帳Ｔ或いはステートメント用紙Ｓｂが挿入されると、図７に示すように挿入検知センサ２９によって検知される。この検知があると、第２の駆動モータ２６が動作して出入用ローラ対１２、搬送ローラ１１ａ〜１１ｅ、フィードローラ対１５が第１の方向に回転駆動される。この回転により通帳Ｔ、或いはステートメント用紙Ｓｂが搬送路６ｂに沿って搬送され、その幅寸法が幅検出センサ３０によって検出される。この検出に基づいて整合板用モータ４６が駆動され、整合板３４が例えば図８に示すように第１の位置ａ、又は図９に示すように第２の位置ｂ、或いは図１０に示すように第３の位置ｃに移動される。
【００３８】
即ち、図８は整合領域３１に通帳Ｔよりも幅広のステートメント用紙Ｓｂが搬送されてくる場合における整合板３４の位置を示し、図９は整合領域３１に通帳Ｔが搬送されてくる場合における整合板３４の位置を示し、図１０は整合領域３１に通帳Ｔよりも幅狭のステートメント用紙Ｓｂが搬送されてくる場合における整合板３４の位置を示す。
【００３９】
通帳Ｔ、或いはステートメント用紙Ｓｂが整合領域３１に到達すると、整合ローラ３３が上昇されて通帳Ｔ、或いはステートメント用紙Ｓｂの下面側に接触するとともに回転する。これにより、通帳Ｔ、或いはステートメント用紙Ｓｂが整合板３４に向かって移動され、通帳Ｔの場合には、図９に示すように第２の位置ｂに移動された整合板３４に当接して整合され、通帳Ｔよりも幅広のステートメント用紙Ｓｂの場合には、図８に示すように第１の位置ａに移動された整合板３４に当接して整合され、通帳Ｔよりも幅狭のステートメント用紙Ｓｂの場合には、図１０に示すように第３の位置ｃに移動された整合板３４に当接して整合される。
【００４０】
このように位置決めされた通帳Ｔ、或いはステートメント用紙Ｓｂは、図１１に示すように印字位置に搬送され、ドットヘッド９ａによって印字される。印字が終了すると、第２の駆動モータ２６により出入用ローラ対１２、フィードローラ対１５、及び搬送ローラ１１ａ〜１１ｅが第２の方向に逆回転される。この逆回転により、通帳Ｔ或いはステートメント用紙Ｓｂは逆送りされてフェイシア部２から送り出される。
【００４１】
上記したように、この実施の形態によれば、通帳Ｔやステートメント用紙Ｓｂ等の印字媒体の幅寸法に基づいて整合板３４の位置を印字媒体の幅方向に沿って可変するため、単一の整合板３４であっても多様な幅寸法の印字媒体を位置決めでき、構成を簡略化してコストを低減できるという利点を有する。
【００４２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４３】
【図１】本発明の一実施の形態である印刷装置を概略的に示す構成図。
【図２】図１の印刷装置の駆動制御系を示すブロック図。
【図３】図１の整合機構を示す構成図。
【図４】図１の印刷装置によるサーマル用紙の印字動作を示す図。
【図５】図１の印刷装置によるサーマル用紙の印字動作を示す図。
【図６】図１の印刷装置によるサーマル用紙の印字動作を示す図。
【図７】図１の印刷装置による通帳或いはステートメント用紙の印字動作を示す図。
【図８】図３の整合機構の整合板が第１の位置に移動された状態を示す図。
【図９】図３の整合機構の整合板が第２の位置に移動された状態を示す図。
【図１０】図３の整合機構の整合板が第３の位置に移動された状態を示す図。
【図１１】印字位置に搬送された通帳或いはステートメント用紙が印字される状態を示す図。
【符号の説明】
【００４４】
Ｓｂ…ステイトメント用紙（印字媒体）、Ｔ…通帳（印字媒体）、２…フェイシア部（挿入口）、６ｂ…搬送路、９ａ…ドットヘッド（印字ヘッド）、１０…搬送手段、２４…制御部（制御手段）、３０…幅検出センサ、３３…整合ローラ、３４…整合板、３６…駆動機構（駆動手段）、３７…キャリア、３８…スクリューシャフト、４０…本体フレーム、４６…整合板用モータ。
【図１】
2010214734.tif 000003
【図２】
2010214734.tif 000004
【図３】
2010214734.tif 000005
【図４】
2010214734.tif 000006
【図５】
2010214734.tif 000007
【図６】
2010214734.tif 000008
【図７】
2010214734.tif 000009
【図８】
2010214734.tif 000010
【図９】
2010214734.tif 000011
【図１０】
2010214734.tif 000012
【図１１】
2010214734.tif 000013